(57)【要約】【要約書】【課題】  簡単な構造でフィルタ洗浄作業を円滑かつ容易に行うことができる残水利用逆洗方法及び装置を提供する。【解決手段】  未処理水を、ろ過タンク１３内に取り付けたフィルタ１５を通して下方貯水部１６から上方貯水部１７に流すことによってろ過し、ろ過終了後、下方貯水部１６の下部に設けた逆洗弁２４を開弁し、上方貯水部１７内の残水をフィルタを通して下方貯水部１６内に自然流下させることによって、フィルタ１５の付着物をフィルタ１５から剥離し、付着物を含む残水を逆洗弁２４を通して外部に排出する。【選択図】    図２
2005118722.tif 000002
【特許請求の範囲】
【請求項１】
未処理水を、ろ過タンク内に取り付けたフィルタを通して下方貯水部から上方貯水部に流すことによってろ過し、ろ過終了後、前記下方貯水部の下部に設けた逆洗弁を開弁し、前記上方貯水部内の残水を前記フィルタを通して前記下方貯水部内に自然流下させることによって、前記フィルタの付着物を前記フィルタから剥離し、前記付着物を含む前記残水を前記逆洗弁を通して外部に排出することを特徴とする残水利用逆洗方法。
【請求項２】
前記逆洗弁の手動開弁動作に連動して前記残水を前記フィルタを通して自然流下させるようにしたことを特徴とする残水利用逆洗方法。
【請求項３】
前記逆洗弁の自動開弁動作に連動して前記残水を前記フィルタを通して自然流下させるようにしたことを特徴とする残水利用逆洗方法。
【請求項４】
内部に一時貯水部を有するろ過タンクと、前記ろ過タンク内に配設され、前記一時貯水部を上方貯水部と下方貯水部とを区画形成するフィルタと、前記下方貯水部に連通連結される未処理水供給配管と、前記上方貯水部に連通連結されるろ過水取り出し配管と、前記下方貯水部の下部に設けた逆洗弁とを具備することを特徴とする残水利用逆洗装置。
【請求項５】
前記未処理水供給配管が雨水流入配管であり、前記ろ過水取り出し配管が貯水槽に連通連結されていることを特徴とする請求項1記載の残水利用逆洗装置。
【発明の詳細な説明】
【技術分野】
【０００１】
本発明は、残水利用逆洗方法及び装置に関する。
【背景技術】
【０００２】
従来、一般家庭や各種ビルディングにおいては、雨水の有効利用を図るため、屋根上に降ってきた雨水を屋根の周囲に配設した水平雨樋に集め、その後、垂直雨樋を通して地中に設置した雨水貯槽内に貯え、防火用水や庭園の散水として用いている。この場合、雨水がそのまま雨水貯槽に流下すると、屋根上に飛散している葉っぱ、小枝等のゴミが雨水と共に雨水貯槽に流入し、これらのゴミが雨水貯槽の底部に堆積し、貯留した水が腐敗したり、また、貯留容積を減少させることになる。そこで、このような葉っぱ、小枝等のゴミの雨水貯槽への流入を防止するため、垂直雨樋の下流側又は雨水貯槽の雨水流入口にフィルタを設け、このフィルタで葉っぱ、小枝等のゴミの雨水貯槽への侵入を防止することが考えられる。
【０００３】
しかし、このようなフィルタは降雨があるごとに目詰まりを起こすため、フィルタを取り外して新しいフィルタと交換したり、フィルタを洗浄した後、再度、垂直雨樋の下流側又は雨水貯槽の雨水流入口に取り付ける必要がある。このような作業は煩雑であり、また、新しいフィルタとの交換はメンテナンス費用を高くすることになる。
【０００４】
上記した問題点は、工場等において使用する工業用水から不純物をフィルタを用いて除去する場合においても同様に生じる。
【発明の開示】
【発明が解決しようとする課題】
【０００５】
本発明は、上記した従来の問題点を解決し、残水利用逆洗方法及び装置を提供することを目的とする。
【課題を解決するための手段】
【０００６】
本発明の上記した目的を達成するための残水利用逆洗方法及び装置の代表的な構成を列挙すると、以下の通りである。
【０００７】
（１）本発明に係る残水利用逆洗方法は、未処理水を、ろ過タンク内に取り付けたフィルタを通して下方貯水部から上方貯水部に流すことによってろ過し、ろ過終了後、下方貯水部の下部に設けた逆洗弁を開弁し、上方貯水部内の残水をフィルタを通して下方貯水部内に自然流下させることによって、フィルタの付着物をフィルタから剥離し、付着物を含む残水を逆洗弁を通して外部に排出することを特徴とする。
このような構成とすることによって、ろ過後に単に逆洗弁を開弁するだけで、フィルタを洗浄してフィルタ機能を回復できる。従って、ろ過作業毎にフィルタを交換したり、洗浄する必要がなく、フィルタ洗浄作業を円滑かつ容易に行うことができる。
【０００８】
（２）上記した残水利用逆洗方法において、逆洗弁の手動開弁動作に連動して、残水をフィルタを通して自然流下させるようにすることもできる。このように構成とすることによって、フィルタの洗浄が必要なときのみ、手動で逆洗を行うことができ、また、装置構成を簡素化でき設備費も安価に抑えることができる。
【０００９】
（３）上記した残水利用逆洗方法において、逆洗弁の自動開弁動作に連動して残水をフィルタを通して自然流下させるようにすることもできる。
このような構成とすることによって、ろ過作業終了毎にフィルタの洗浄作業を行うことができ、ろ過作業を確実に行うことができる。
【００１０】
（４）本発明に係る残水利用逆洗装置は、内部に一時貯水部を有するろ過タンクと、ろ過タンク内に配設され、一時貯水部を上方貯水部と下方貯水部とを区画形成するフィルタと、下方貯水部に連通連結される未処理水供給配管と、上方貯水部に連通連結されるろ過水取り出し配管と、下方貯水部の下部に設けた逆洗弁とを具備することを特徴とする。
このような構成とすることによって、簡単な構造で、フィルタ洗浄作業を円滑かつ容易に行うことができる。
【００１１】
（５）上記した残水利用逆洗装置において、未処理水供給配管が雨水流入配管であり、ろ過水取り出し配管が貯水槽に連通連結されていることを特徴とする。
このような構成とすることによって、葉っぱや小枝等を含まない雨水を効率的に貯水槽に貯蔵でき、防火用水や庭園への散水用水として有効に用いることができる。
【発明の効果】
【００１２】
このように、本発明では、簡単な構造でフィルタ洗浄作業を円滑かつ容易に行うことができる。
【発明を実施するための最良の形態】
【００１３】
以下、添付図面に示す実施の形態を参照しつつ、本発明をより詳細に説明する。
まず、本実施例１に係る残水利用逆洗装置Ａの構成について、図１及び図２を参照して説明する。
図示するように、本実施例１では、残水利用逆洗装置Ａは家屋１０に隣接した地面１１上に設置されており、家屋１０の屋根１０Ａ上に降った雨水をろ過すると共に、ろ過水を地中に埋設状態に設置されている貯水水槽１２に供給するために用いられる。
【００１４】
図１及び図２に示すように。残水利用逆洗装置Ａは、縦長のろ過タンク１３を具備し、ろ過タンク１３は支持台１４を介して地面１１に設置されている。ろ過タンク１３の内部空間の中央部には、雨水中のゴミを除去するためのフィルタ１５が配設されており、フィルタ１５の下方と上方には、それぞれ、下方貯水部１６と上方貯水部１７とが形成されている。
【００１５】
下方貯水部１６の側壁下部には雨水流入開口１８が設けられており、同雨水流入開口１８には、上端を屋根１０Ａに設置した集水樋１９に連通連結した未処理水供給配管の一例である雨水流入配管２０の下端が連通連結されている。
上方貯水部１７の側壁上部にはろ過水流出開口２１が設けられており、同ろ過水流出開口２１には、下端を貯水水槽１２に連通連結したろ過水取り出し配管２２の上端が連通連結されている。
【００１６】
また、ろ過タンク１３の底板２３には逆洗弁２４が取り付けられている。逆洗弁２４は、本実施例では、ろ過タンク１３内の雨水を外部に排出するため底板２３に開口した雨水排出開口２５と、雨水排出開口２５を開閉するため底板２３に開閉自在に取り付けたフロート２６付の弁体２７と、弁体２７を手動で操作紐２８を介して開閉するためろ過タンク１３の側壁に回転自在に取り付けた逆洗用ハンドル２９とを具備する。
【００１７】
次に、上記した残水利用逆洗装置Ａを用いた残水利用逆洗方法について図３から図６を参照して説明する。
図３は雨水が継続的に残水利用逆洗装置Ａを通して貯水水槽１２に供給されている状態を示す。図示するように、雨水はろ過タンク１３の下方貯水部１６内に流入した後、フィルタ１５を通過して上方貯水部１７内に流入し、その後、ろ過水取り出し配管２２を通して貯水水槽１２内に供給される。
【００１８】
図４は雨水の貯水水槽１２への供給が停止した状態を示す。この際、雨水流入配管２０とろ過タンク１３内の水位は、ろ過水取り出し配管２２の上端開口の下面水位となる。また、フィルタ１５にはゴミが付着し(付着物)、また、フィルタ１５の上流側である下方貯水部１６内の雨水にはゴミが混入した状態にある。
【００１９】
ここで、図５に示すように、逆洗用ハンドル２９を回転すると、操作紐２８を介してフロート２６付の弁体２７が開口する、即ち、逆洗弁２４を開弁すると、上方貯水部１７に残った水がその自重によって下方に向けて逆流し、フィルタ１５を逆洗すると共に、雨水排出開口２５を通してゴミとともに外部に排出されることになる。なお、本実施例では、弁体２７はフロート２６を具備するので、一端弁座から離されると、浮いた状態を維持することができる。
【００２０】
図６に示すように、逆洗弁２４の弁体２７はろ過タンク内の水位の低下と共に下がっていき、ある水位まで達すると、流れに引きずられた形態で雨水排出開口２５を自動的に閉じることになる。
【００２１】
このように、本実施例１では、ろ過後に単に逆洗弁２４を開弁するだけで、フィルタ１５を洗浄してフィルタ機能を回復できる。従って、ろ過作業毎にフィルタ１５を交換したり、洗浄する必要がなく、フィルタ洗浄作業を円滑かつ容易に行うことができる。
【００２２】
また、逆洗弁２４の手動開弁動作に連動して、残水をフィルタ１５を通して自然流下させるようにすることもできる。この場合、フィルタ１５の洗浄が必要なときのみ、手動で逆洗を行うことができ、また、装置構成を簡素化でき設備費も安価に抑えることができる。
【００２３】
次に、図７及び図８を参照して、本発明の他の実施例に係る残水利用逆洗装置Ａ１及びＡ２を説明する。なお、これらの実施例において、図１から図６を参照して説明してきた実施例１と同様な構成には同一符号を付し、それらの説明は省略する。
図７に示す実施例２は、逆洗弁３０を、ろ過タンク１３内の雨水を外部に排出するため底板２３に開口した雨水排出開口２５と、雨水排出開口２５を開閉するため底板２３に開閉自在に取り付けたフロート２６付の弁体２７と、弁体２７を手動で操作紐２８を介して開閉するためろ過タンク１３の上壁に昇降自在に取り付けた昇降棹３１と、ろ過タンク１３の側壁外面に沿って昇降自在に配設される逆洗用操作紐３２と、昇降棹３１と逆洗用操作紐３２とを連結するため、ろ過タンク１３の天板上に設置した方向変換機構３３とを具備する構成としたことを特徴とする。
【００２４】
本実施例２においても、ろ過後に単に逆洗弁３０を開弁するだけで、フィルタ１５を洗浄してフィルタ機能を回復できる。また、フィルタ１５の洗浄が必要なときのみ、手動で逆洗を行うことができ、さらに、装置構成を簡素化でき設備費も安価に抑えることができる。
【００２５】
図８に示す実施例３は、逆洗弁４０を、ろ過タンク１３内の雨水を外部に排出するため底板２３に開口した雨水排出開口２５と、雨水排出開口２５を開閉するため底板２３に開閉自在に取り付けたフロート２６付の弁体２７と、弁体２７を操作紐２８を介して開閉するためろ過タンク１３の側壁に回転自在に取り付けた回転軸４１と、回転軸４１を回転するためろ過タンク１３の側壁に取り付けた逆洗用回転モータ４２と、ろ過水取り出し配管２２に取り付け、雨水の貯水水槽１２への供給が停止したことを検出し、その検出信号に基づいて制御装置４３を介して逆洗用回転モータ４２を回転駆動する流速計等の雨水供給停止センサ４４とを具備する構成としたことを特徴とする。
【００２６】
本実施例３では、ろ過後に自動的に逆洗弁４０を開弁してフィルタ１５を逆洗することができる。従って、ろ過作業終了毎にフィルタ１５の洗浄作業を行うことができ、ろ過作業を確実に行うことができる。
【産業上の利用可能性】
【００２７】
本発明に係る残水利用逆洗装置は、一般家庭や工場等において、好適に用いることができる。
【図面の簡単な説明】
【００２８】
【図１】本発明の実施例１に係る残水利用逆洗装置の設置状態説明図である。
【図２】本発明の実施例１に係る残水利用逆洗装置の拡大断面正面図である。
【図３】本発明の実施例１に係る残水利用逆洗装置の使用方法の説明図である。
【図４】本発明の実施例１に係る残水利用逆洗装置の使用方法の説明図である。
【図５】本発明の実施例１に係る残水利用逆洗装置の使用方法の説明図である。
【図６】本発明の実施例１に係る残水利用逆洗装置の使用方法の説明図である。
【図７】本発明の実施例２に係る残水利用逆洗装置の拡大断面正面図である。
【図８】本発明の実施例３に係る残水利用逆洗装置の拡大断面正面図である。
【符号の説明】
【００２９】
Ａ：残水利用逆洗装置
Ａ１：残水利用逆洗装置
Ａ２：残水利用逆洗装置
１０：家屋
１０Ａ：屋根
１１： 地面
１２：貯水水槽
１３：ろ過タンク
１４： 支持台
１５：フィルタ
１６：下方貯水部
１７：上方貯水部
１８：雨水流入開口
１９：集水樋
２０：雨水流入配管
２１：ろ過水流出開口
２２：ろ過水取り出し配管
２３：底板
２４： 逆洗弁
２５：雨水排出開口
２６：フロート
２７：弁体
２８：操作紐
２９： 逆洗用ハンドル
３０： 逆洗弁
３１：昇降棹
３２： 逆洗用操作紐
３３：方向変換機構
４０： 逆洗弁
４１：回転軸
４２： 逆洗用回転モータ
４３：制御装置
４４：雨水供給停止センサ
【図１】
2005118722.tif 000003
【図２】
2005118722.tif 000004
【図３】
2005118722.tif 000005
【図４】
2005118722.tif 000006
【図５】
2005118722.tif 000007
【図６】
2005118722.tif 000008
【図７】
2005118722.tif 000009
【図８】
2005118722.tif 000010